(57)【要約】【課題】  光コネクタ用アウトレットにあっては、小型化、とりわけ、奥行き寸法の縮小を実現できる技術の開発が求められていた。【解決手段】  外装ケース１１に引き込まれた光ファイバ１４と、外装ケース前面１１ｃ側の光コネクタレセプタクル１３から延びるピグテール光ファイバとを接続するメカニカルスプライス部を、ピグテール光ファイバの余長とともに収納した余長収納ケース３０にを外装ケース１１内に収納することで組み立てられ、しかも、余長収納部ケース３０では、メカニカルスプライス部が、外装ケースの前後方向に対して傾斜する向きで支持される光コネクタ用アウトレット１０を提供する。【選択図】  図１
2005195654.tif 000002
【特許請求の範囲】
【請求項１】
光ファイバ（１４）が引き込まれる外装ケース（１１）に、前記外装ケースの前面（１１ｃ）側から別の光ファイバ（１５）がコネクタ接続される光コネクタ（１３）が設けられている光コネクタ用アウトレットであって、
前記光コネクタから延びるピグテール光ファイバ（２２）の余長（２２ｃ）を湾曲収納する余長収納ケース（３０）が前記外装ケースにおける光コネクタの設置位置に対応させて前記外装ケース内に収納されるようになっており、
前記余長収納ケースには、前記ピグテール光ファイバの前記光コネクタとは逆の側の端部と前記外装ケースに引き込まれる光ファイバとを接続するメカニカルスプライス部（２３）を支持するスプライス支持部（３３）が設けられており、
前記スプライス支持部は、該メカニカルスプライス部において接続する光ファイバの光軸が前記外装ケースの前後方向に対して傾斜する向きで前記メカニカルスプライス部を支持するようになっていることを特徴とする光コネクタ用アウトレット（１０）。
【請求項２】
前記光コネクタは前記余長収納ケースに取り付けられており、前記余長収納ケースを前記外装ケースに収納することで前記外装ケースに前記光コネクタが組み込まれるようになっていることを特徴とする請求項１記載の光コネクタ用アウトレット。
【請求項３】
前記外装ケースは、取付対象物（１２）に取り付けられるケース本体（１１１）と、このケース本体に着脱可能であり外装ケースの前面を形成する前面プレート（１１２）とを有し、前記前面プレートを取り外すことで、前記余長収納ケースを前記外装ケースに前面側から収納できるようになっており、
前記前面プレートには、前記外装ケース内に収納された前記余長収納ケースに取り付けられている前記光コネクタを前記外装ケースの前面側に露出させて、外装ケース前面側からの前記別の光ファイバの前記光コネクタに対するコネクタ接続を可能とするコネクタ穴（１１２ａ）が開口されていることを特徴とする請求項２記載の光コネクタ用アウトレット。
【請求項４】
前記外装ケースは、前記余長収納ケースと前記光コネクタとの組を複数組み込めるようになっていることを特徴とする請求項１〜３のいずれかに記載の光コネクタ用アウトレット。
【請求項５】
前記余長収納ケースに、前記外装ケースに引き込まれた光ファイバを引き留める引き留め部（３４）が設けられていることを特徴とする請求項１〜４のいずれかに記載の光コネクタ用アウトレット。
【請求項６】
前記スプライス支持部に対して前記メカニカルスプライス部が着脱可能になっていることを特徴とする請求項１〜５のいずれかに記載の記載の光コネクタ用アウトレット。
【請求項７】
前記メカニカルスプライス部は、突き合わせ接続した一対の光ファイバを、スリーブ状のバネ（２４）の内側に収納した半割り構造の一対の素子（２５、２６、２７）の間にて前記バネの弾性によってクランプ保持して接続状態を維持する構成であり、
前記メカニカルスプライス部には、前記ピグテール光ファイバの前記光コネクタとは逆の側の端部が前記一対の素子の間に挿入した状態で固定されており、しかも、一対の素子の間には、当該一対の素子の間の開放状態を維持する楔部品（２８ａ）が引き抜き可能に割り込ませてあり、前記ピグテール光ファイバに対して接続される光ファイバの一対の素子の間への挿入が可能になっていることを特徴とする請求項１〜６のいずれかに記載の光コネクタ用アウトレット。
【請求項８】
前記外装ケースが建物の壁等の取付対象物に取り付けられるものであり、前記取付対象物に配線された光ファイバが、前記メカニカルスプライス部にて前記ピグテール光ファイバに接続されて、前記光コネクタによってコネクタ接続可能に成端されていることを特徴とする請求項１〜７のいずれかに記載の光コネクタ用アウトレット。
【発明の詳細な説明】
【技術分野】
【０００１】
本発明は、光コネクタ用アウトレットに係り、特に、現場等で、外装ケースに引き込んだ光ファイバのコネクタ成端を簡単に実現できる光コネクタ用アウトレットに関する。
【背景技術】
【０００２】
ビル内や住宅内等に設置される、光コネクタ用のアウトレットに関係する従来技術として、例えば特許文献１等がある。この特許文献１記載の技術（光コンセント）は、光ファイバケーブル（第一の光ファイバケーブル）が引き込まれる函と、この函に取付枠を介して取り付けられる光コネクタアダプタと、この光コネクタアダプタを外側から覆うカバーとを有する構造であり、前記光ファイバケーブルと、一端が前記光コネクタアダプタに接続される光コネクタ（光コネクタプラグ）によってコネクタ接続可能に成端（コネクタ成端）されている光ファイバケーブル（第二の光ファイバケーブル。以下、コネクタ付き光ファイバ）の他端との接続、及び、コネクタ付き光ファイバの光コネクタプラグの前記光コネクタアダプタへの接続によって、前記光ファイバケーブルをコネクタ付き光ファイバ先端（一端）の光コネクタによるコネクタ成端と、この光ファイバケーブルをコネクタ成端する光コネクタ（コネクタ付き光ファイバの光コネクタ）の実装とが実現されるものである。
【０００３】
ところで、上述した特許文献１記載の技術では、函に引き込んだ光ファイバケーブルと、コネクタ付き光ファイバとを光コネクタ（具体的にはＭＴ形光コネクタ）で接続する構成であり、コネクタ付き光ファイバのみならず、函に引き込んだ光ファイバケーブルの先端にも、光コネクタを組み立てておく必要がある。このため、函に引き込む光ファイバケーブルとして、光コネクタが付けられていない光ファイバケーブルを用いる場合は、現場で、コネクタ付けを行う必要があり、組み立てに非常に手間が掛かるものであった。
【０００４】
コネクタ成端されていない光ファイバへの現場でのコネクタ付け、及び、光ファイバ先端に取り付けた光コネクタのアウトレットへの実装を簡単に行える技術として、現場で光ファイバ先端に簡単に取り付けることができる光コネクタ（現場付け光コネクタ）を使用するもの、が考えられる。
【０００５】
前記現場付け光コネクタを適用した光コネクタアウトレットの一例を、図１４に示すものがある。
図１４は、前記光コネクタ用アウトレットの構造の概要を示す断面図であり、図１４中、符号１は光コネクタ用アウトレット、２は光コネクタ用アウトレット１の外装ケース、３は光コネクタ用アウトレット１が取り付けられる壁（建物等の構造物の壁）、４は外装ケース２の前面側（図１４左側）に設けられている光コネクタレセプタクルである。
図１４において、光コネクタ用アウトレット１の外装ケース２には、壁３から引き出した光ファイバ５が引き込まれている。前記光ファイバ５の先端は、現場付け光コネクタ６（後述）によってコネクタ成端されている。この現場付け光コネクタ６は、光コネクタレセプタクル４に組み込まれており、この光コネクタレセプタクル４に、別途、光コネクタ用アウトレット１外側から、光ファイバ（以下、外部光ファイバ）先端をコネクタ成端する光コネクタを挿入接続すると、光コネクタレセプタクル４内での光コネクタ同士の接続により、光ファイバ５と外部光ファイバとが光接続されることとなる。
【０００６】
ここで、現場付け光コネクタ６は、例えば特許文献２等に開示されているように、フェルールの突き合わせ接続用の接合端面側（先端側）に対向する後端側に、突き合わせ接続した一対の光ファイバを半割り構造の素子の間にクランプ保持して、接続状態を維持するクランプ部を具備するものである。クランプ部は、半割り構造の素子をスリーブ状のバネ（例えば、Ｃ形バネ、コ字形バネ）に収納して、バネのクランプ力によって光ファイバを挟み込む構成であり、楔を用いて素子を開放させ、素子間に挿入した光ファイバを、フェルールに予め内挿固定しておいた光ファイバがフェルールから前記クランプ部に延出した部分と突き合わせ接続した後、素子から楔を引き抜いて、素子を閉じることで、接続状態の光ファイバをクランプ保持して、接続状態を維持する。また、素子間に挿入した光ファイバは、半割り構造の素子同士の合わせ面に形成した位置決め溝（Ｖ溝等）によって精密に位置決め調心されるため、突き合わせ接続したときに低損失を実現できる。
【０００７】
しかしながら、前述のような光コネクタ用アウトレット１では、外装ケース２に現場付け光コネクタ６の収納スペースを確保するために、外装ケース２の奥行き寸法が大きくならざるを得ず、外装ケース２を小型化できないといった不満があった。フェルールの後端側にクランプ部を組み付けた構成の現場付け光コネクタ６を外装ケース２に収納する場合、外装ケース２には、クランプ部のフェルールからの突出寸法分に対応して、これを収納できる奥行き寸法が確保されている必要がある。また、外装ケース２内に引き込んだ光ファイバ５については、光伝送特性に影響を与えない許容範囲の曲げで外装ケース２内に湾曲収納する必要があるが、前述の現場付け光コネクタ６の場合、クランプ部のフェルールからの突出先端（後端）付近に光ファイバ５の湾曲スペースを充分に確保して、光ファイバ５を緩やかに湾曲させる必要があり、外装ケース２の奥行き寸法の縮小は困難であり、この点でも、外装ケース２の小型化は難しい。
【０００８】
アウトレットに実装する光コネクタから延びる光ファイバ（いわゆるピグテール）を、光伝送特性に影響を与えない範囲の曲げ半径を確保して、アウトレット内に収納するには、例えば、特許文献３記載の技術を適用することも考えられるが、特許文献３の技術を、図１４に例示した構成に適用するとしても、アウトレットの小型化を実現するには不充分であり、充分な小型化を実現し得ない。
【０００９】
また、アウトレットでは、壁等から引き出した光ファイバと光コネクタとの接続を完了した後、アウトレットの壁等への取り付け作業、あるいは、光コネクタを取付枠等の部材とともにアウトレットの前面側に取り付ける作業の際に、アウトレット内の光ファイバに急激な曲げ（曲げ半径が、光伝送特性に影響を与えるレベルにまで小さくなること）が与えられないように、作業を慎重に進める必要がある。図１４に例示した構成では、現場付け光コネクタ６のクランプ部の後端付近にて、光ファイバ５に曲げ力が集中的に作用して、急激な曲げが与えられやすい。光ファイバを急激な曲げや折損から保護するために、例えば、特許文献４、５記載のように、光ファイバに保護管を被せて光ファイバを保護する技術を応用することも考えられる。しかしながら、光ファイバに保護管を被せる作業は手間が掛かる上、光ファイバの余長が嵩張って、アウトレットの小型化の障害になる。また、特許文献１記載のように、光コネクタから延びるピグテール光ファイバと、外装ケース内に引き込んだ光ファイバとを接続する構成では、ピグテール光ファイバの保護が問題となる。文献１では、ピグテールの余長を収納するケース状の保護部材（符号７）を用いるが、ピグテール光ファイバの内、光コネクタと保護部材との間に延在する部分は何等保護されない。しかし、この部分に保護管による保護を行うと、外装ケース内の光ファイバの取り回しに影響が出て、アウトレットの小型化の障害になるし、特に、光コネクタと保護部材との間の延在長が長い場合には、影響が大きくなる。
【特許文献１】特開平９−１２７３６９号公報
【特許文献２】特開２００１−２３５６５５号公報
【特許文献３】特開平１０−２２７９２３号公報
【特許文献４】実開平２−２１６０６号公報
【特許文献５】実開平２−３９２０２号公報
【発明の開示】
【発明が解決しようとする課題】
【００１０】
本発明は、上述した従来技術の問題点に鑑みて、アウトレットの小型化、とりわけ、アウトレットの奥行き寸法の縮小を容易に実現でき、しかも、アウトレットの施工において、狭隘な作業スペースであっても、建物の壁等である取付構造物から引き出した光ファイバのコネクタ成端の作業性を確保できる、などの優れた効果が得られる光コネクタ用アウトレットの提供を目的としている。
【課題を解決するための手段】
【００１１】
上記課題を解決するために、本発明では以下の構成を提供する。
本発明では、光ファイバが引き込まれる外装ケースに、前記外装ケースの前面側から別の光ファイバがコネクタ接続される光コネクタが設けられている光コネクタ用アウトレットであって、前記光コネクタから延びるピグテール光ファイバの余長を湾曲収納する余長収納ケースが前記外装ケースにおける光コネクタの設置位置に対応させて前記外装ケース内に収納されるようになっており、前記余長収納ケースには、前記ピグテール光ファイバの前記光コネクタとは逆の側の端部と前記外装ケースに引き込まれる光ファイバとを接続するメカニカルスプライス部を支持するスプライス支持部が設けられており、前記スプライス支持部は、該メカニカルスプライス部において接続する光ファイバの光軸が前記外装ケースの前後方向に対して傾斜する向きで前記メカニカルスプライス部を支持するようになっていることを特徴とする光コネクタ用アウトレットを提供する。
この発明では、前記光コネクタは前記余長収納ケースに取り付けられており、前記余長収納ケースを前記外装ケースに収納することで前記外装ケースに前記光コネクタが組み込まれるようになっている構成も採用可能である。さらに、前記外装ケースは、取付対象物に取り付けられるケース本体と、このケース本体に着脱可能であり外装ケースの前面を形成する前面プレートとを有し、前記前面プレートを取り外すことで、前記余長収納ケースを前記外装ケースに前面側から収納できるようになっており、前記前面プレートには、前記外装ケース内に収納された前記余長収納ケースに取り付けられている前記光コネクタを前記外装ケースの前面側に露出させて、外装ケース前面側からの前記別の光ファイバの前記光コネクタに対するコネクタ接続を可能とするコネクタ穴が開口されている構成も採用可能である。
また、前記外装ケースは、前記余長収納ケースと前記光コネクタとの組を複数組み込めるようになっている構成も採用可能である。
また、前記余長収納ケースに、前記外装ケースに引き込まれた光ファイバを引き留める引き留め部が設けられている構成も採用可能である。
また、前記スプライス支持部に対して前記メカニカルスプライス部が着脱可能になっている構成も採用可能である。
また、前記メカニカルスプライス部は、突き合わせ接続した一対の光ファイバを、スリーブ状のバネの内側に収納した半割り構造の一対の素子の間にて前記バネの弾性によってクランプ保持して接続状態を維持する構成であり、前記メカニカルスプライス部には、前記ピグテール光ファイバの前記光コネクタとは逆の側の端部が前記一対の素子の間に挿入した状態で固定されており、しかも、一対の素子の間には、当該一対の素子の間の開放状態を維持する楔部品が引き抜き可能に割り込ませてあり、前記ピグテール光ファイバに対して接続される光ファイバの一対の素子の間への挿入が可能になっている構成も採用可能である。
また、前記外装ケースが建物の壁等の取付対象物に取り付けられるものであり、前記取付対象物に配線された光ファイバが、前記メカニカルスプライス部にて前記ピグテール光ファイバに接続されて、前記光コネクタによってコネクタ接続可能に成端されている構成も採用可能である。
【発明の効果】
【００１２】
本発明によれば、光コネクタ用アウトレット（以下、アウトレットと略称する場合がある）の小型化、とりわけ、アウトレットの奥行き寸法の縮小を容易に実現できる。ピグテール光ファイバの余長を収納する余長収納ケースの採用によって、光ファイバを急激な曲げ等によって傷めないように保護できる。ピグテール光ファイバの余長は、例えば、コイル状に巻いた状態にすることなどにより、余長収納ケース内に高密度に収納することができ、これにより余長収納ケースの小型化を図ることができるため、アウトレットの小型化、とりわけ、アウトレットの奥行き寸法の縮小に有利である。余長収納ケースによってピグテール光ファイバを保護できる構成であれば、ピグテール光ファイバに補強チューブ等の保護管を被せる場合に比べて、保護のために必要となる手間が大幅に軽減されるといった利点もある。また、メカニカルスプライス部によって、外装ケースに引き込んだ光ファイバとピグテール光ファイバとを接続する構成であれば、機械的接続であるため、例えば融着接続機と比べて、電源の確保が不要である点、簡易かつ小型の工具等による接続が可能である点などで有利である。
余長収納ケースに、別の光ファイバが外装ケース前面側からコネクタ接続される光コネクタと、メカニカルスプライス部とが取り付けられている構成であれば、余長収納ケースを外装ケースに組み込むと同時に、光コネクタの外装ケースへの組み込みも実現でき、アウトレットの組立作業効率を大幅に向上できる。外装ケースに、光コネクタが取り付けられている余長収納ケースを収納すれば、余長収納ケースの収納後に、光コネクタからメカニカルスプライス部まで延びるピグテール光ファイバの余長処理を行う必要は無く、この点でも、アウトレットの組立作業効率の向上に有利である。さらに、光コネクタからメカニカルスプライス部まで延びるピグテール光ファイバを余長収納ケースによって、非常に小型に纏めることができるため、ピグテール光ファイバを収納するために外装ケース内に確保する収納スペースが小さくて済み、アウトレットの小型化に有利である。
また、スプライス支持部が、該メカニカルスプライス部において接続する光ファイバの光軸が前記外装ケースの前後方向（奥行き方向と同じ）に対して傾斜する向きで前記メカニカルスプライス部を支持するようになっていることも、余長収納ケースの小型化に有効に寄与する構成であり、アウトレットの小型化、とりわけ、アウトレットの奥行き寸法の縮小を、容易に実現できる。
【発明を実施するための最良の形態】
【００１３】
以下、本発明の実施の形態を、図面を参照して説明する。
図１は、本発明に係る光コネクタ用アウトレット（以下、アウトレットと略称する場合がある）の構造の概要を示す断面図であり、図１中、符号１０はアウトレット、１１は外装ケース、１２はアウトレット１０が取り付けられる取付対象物としての壁（建物等の構造物の壁）、１３は光コネクタとしての光コネクタレセプタクル（コネクタハウジング。以下、光コネクタとも言う）、２０は光コネクタ付き成端用部品、３０は余長収納ケースである。
【００１４】
図１はアウトレット１０を示す外観斜視図（部分断面）、図２はアウトレット１０の施工状態を示す側断面図である。
図１、図２において、アウトレット１０は、壁１２から引き出した光ファイバ１４が引き込まれる外装ケース１１に、前記光ファイバ１４の余長１４ｃと、余長収納ケース３０とを収納した概略構成になっている。
【００１５】
外装ケース１１は、上壁部１１ｆ（図１、図２上側の壁部）に、壁１２の穴等を介して壁１２から引き出した光ファイバ１４を引き込むための光ファイバ用開口部１１ｂを有している。光ファイバ用開口部１１ｂを介して引き込まれた光ファイバ１４は、余長収納ケース３０内に収納された光コネクタ付き成端用部品２０（後述。図３、図６等参照）のメカニカルスプライス部２３にて、光コネクタ付き成端用部品２０の光ファイバ２２と光接続されている。光コネクタ付き成端用部品２０の光ファイバ２２の前記メカニカルスプライス部２３とは逆の側の先端は、光コネクタ２１を組み込んだ光コネクタレセプタクル１３によってコネクタ成端されているため、光ファイバ１４は、光コネクタ付き成端用部品２０を介してコネクタ成端されていることとなる。
前記光コネクタ２１は、余長収納ケース３０に固定されたコネクタハウジング１３ａに組み込まれて光コネクタレセプタクル１３を構成しており、この光コネクタレセプタクル１３に、別途、アウトレット１０の前面１１ｃ側から、別の光ファイバ１５（以下、外部光ファイバ）先端をコネクタ成端した光コネクタ１６を挿入接続すると、光コネクタレセプタクル１３内での光コネクタ２１、１６同士の接続により、光ファイバ１４と外部光ファイバ１５とが光接続されることとなる。
なお、光ファイバ用開口部１１ｂの形成位置は、上壁部１１ｆに限定されず、裏面側（外装ケース１１の内部空間Ｓを介して、前記前面１１ｃを形成する前面プレート１１２とは逆の側。裏面壁１１ｄ）であっても良い。
【００１６】
前記外装ケース１１は、取付対象物１２に取り付けられるケース本体１１１と、このケース本体１１１に着脱可能の前面プレート１１２とを有している。前記上壁部１１ｆ及び裏面壁１１ｄは、前記ケース本体１１１の一部である。
前記前面プレート１１２には、前記外装ケース１１内に収納された前記余長収納ケース３０に取り付けられている前記光コネクタレセプタクル１３を前記外装ケース１１の前面１１ｃ側に露出させるコネクタ穴１１２ａが開口されており、このコネクタ穴１１２ａに露出する光コネクタレセプタクル１３に、前記光ファイバ１５の先端の前記光コネクタ１６を挿入することで、光ファイバ１５を、光ファイバ１４側の光線路と光接続することができる。前記光コネクタ１６は、光コネクタレセプタクル１３に対して挿脱可能であり、光コネクタレセプタクル１３から光コネクタ１６を引き抜くことで、光ファイバ１４、１５同士の接続を解除できる。
【００１７】
ここで、光コネクタ付き成端用部品２０について説明する。
図６に示すように、光コネクタ付き成端用部品２０は、光コネクタ２１と、この光コネクタ２１から延びる光ファイバ２２（ピグテール光ファイバ）と、この光ファイバ２２の前記光コネクタ２１からの延出先端に組み立てられ、該光ファイバ２２に対して別の光ファイバ１４（ここでは、壁１２から引き出した光ファイバ１４）を接続するメカニカルスプライス部２３とを有している。
【００１８】
光コネクタ付き成端用部品２０は、ここでは、単心の光ファイバ１４を光コネクタ２１によってコネクタ成端するものである。光コネクタ２１は、単心用の光コネクタに適用されるフェルールであり、例えば、ＳＣ形光コネクタ（ＳＣ:Single fiber Coupling optical fiber connector。例えば、ＪＩＳ  Ｃ  ５９７３に制定されるＦ０４形光コネクタ等）用のフェルールや、ＭＴ形光コネクタ（ＭＴ:Mechanically Transferable。例えば  ＪＩＳ  Ｃ  ５９８１に制定されるＦ１２形光コネクタ等）を単心用に成形したもの（突き合わせ接続用の接合端面に開口する、光ファイバの収納位置決め用の微細孔が１本のもの）等を採用できる。また、光コネクタレセプタクル１３として、ＪＩＳ  Ｃ  ５９８５に制定されるＦ１６形光コネクタの所謂簡易レセプタクルを採用することも可能である。この光コネクタレセプタクル１３は、光コネクタアダプタ１３ａにフェルール２１（プラグ）を直接組み込んだ構成のものであり、小型化に有利である。
光ファイバ２２は、ここでは単心の光ファイバ心線であるが、この他、光ファイバ素線等、各種単心の光ファイバを採用できる。
また、ここでは、光ファイバ１４として、所謂インドアケーブル（屋内配線用光ファイバケーブル）を採用し（以下、光ファイバ１４を、インドアケーブルと称する場合がある）、外装ケース１１内に引き込んだインドアケーブル１４を、メカニカルスライス部２３にて光ファイバ２２と接続して、光ファイバ２２を介して、光コネクタレセプタクル１３によってコネクタ接続可能に成端する構成を例示しているが、外装ケース１１内に引き込まれる光ファイバ１４としては、インドアケーブルに限定されず、インドアケーブル以外の各種光ファイバケーブル（例えばドロップケーブル）、光ファイバ心線、光ファイバ素線等、各種採用可能である。
【００１９】
図７〜図９はメカニカルスプライス部２３の一例を示す図であり、図７は斜視図、図８は図７のメカニカルスプライス部２３の構造を模式的に示す図であり（ａ）は長手方向一端側から見た側面図、（ｂ）は正面図、図９はメカニカルスプライス部２３の素子２５（２６、２７）を、互いに対面される合わせ面の側から見た図である。
図７、図８に示すように、メカニカルスプライス部２３は、断面Ｃ形あるいはコ字状のスリーブ状のバネ２４（ここではコ字形バネ）の内側に半割り構造の素子２５を収納した構成である。素子２５は、ベース側素子２６と、蓋側素子２７とによって構成されている以下、ベース側素子２６、蓋側素子２７についても、単に「素子」と言う場合がある）。また、蓋側素子２７は、３つの蓋側素子２７１、２７２、２７３に分割されており、３つの蓋側素子２７１、２７２、２７３は、細長形状のベース側素子２６の長手方向に沿って、一列に配列配置されている。３つの蓋側素子２７１〜２７３は、符号２７２の蓋側素子の両側に、他の二つの蓋側素子２７１、２７３が対向配置された状態でベース側素子２６上に配置されている。
【００２０】
スリーブ状の前記バネ２４は、該バネ２４の軸方向の２箇所にて、該バネ２４の側部の開口部２４ａ（コ字形バネにおいては、断面「コ」字の開口部分）から、バネ２４の断面方向において前記開口部２４ａと対向する側に形成されている幹部２４ｂ（図８（ａ）参照）に向かって延びるように形成されたスリット２４ｃによって、それぞれ単独のバネとして機能する３つの領域（バネ部２４１〜２４３）を有する。前記スリット２４ｃの形成位置は、蓋側素子２７１と蓋側素子２７２との境界、蓋側素子２７２と蓋側素子２７３との境界にほぼ一致されており、バネ２４の３つのバネ部２４１〜２４３の位置は、３つの蓋側素子２７１〜２７３に対応されている。前記幹部２４ｂは、バネ２４において、該バネ２４の断面方向で前記開口部２４ａと対向する側にて、バネ２４の軸方向に連続して延在する部分であり、各バネ部２４１〜２４３は、いずれも、この幹部２４ｂに連結されている。
【００２１】
蓋側素子２７１と、ベース側素子２６の内の蓋側素子２７１に対応する部分と、バネ部２４１とは、第１クランプ部２３１を構成しており、蓋側素子２７２と、ベース側素子２６の内の蓋側素子２７２に対応する部分と、バネ部２４２とは、第２クランプ部２３２を構成しており、蓋側素子２７３と、ベース側素子２６の内の蓋側素子２７３に対応する部分と、バネ部２４３とは、第３クランプ部２３３を構成している。
【００２２】
第１〜第３クランプ部２３１〜２３３は、いわば、ベース側、蓋側の一対の素子を、バネ２４の弾性（クランプ力）によって挟み込んだ構成であり、素子間への楔の挿脱によって開閉される構造になっている。
図１０（ａ）、（ｂ）において、第１〜第３クランプ部２３１〜２３３から代表して第３クランプ部２３３を例示して説明すると、第３クランプ部２３３は、楔部品２８ａを、該バネ２４の側部の開口部２４ａから、蓋側素子２７３と、ベース側素子２６において蓋側素子２７３に対応する部分との間に割り込ませるようにして圧入することで、素子２６、２７３間をバネ２４（具体的にはバネ部２４３）の弾性力に抗して押し開くことができ（図１０（ａ）の状態。この状態を、以下「開状態」とも言う）、素子２６、２７３間から楔部品２８ａを引き抜くと、バネ２４（具体的にはバネ部２４３）の弾性によって素子２６、２７３間が閉じられる（図１０（ｂ）の状態。この状態を、以下「閉状態」とも言う）。第１クランプ部２３１についても、楔の挿脱によって素子２６、２７１間の開閉を、第３クランプ部２３３と同様に行えるようになっており、また、第２クランプ部２３２についても、楔の挿脱によって素子２６、２７２間の開閉を、第３クランプ部２３３と同様に行うようになっている。
なお、図中、符号２５ａは、ベース側素子２６と蓋側素子２７との間に楔を割り込ませるための差し込み凹所である。この差し込み凹所は、素子２５の側面に開口する凹みであり、ベース側素子２６と蓋側素子２７との境界付近において、ベース側素子２６及び／又は蓋側素子２７を僅かに切り欠いた形状に形成されている。
【００２３】
図１１（ａ）に示すように、メカニカルスプライス部２３は、３つのクランプ部２３１〜２３３の内の第１クランプ部２３１に、光ファイバ２２の被覆部２２ａ（具体的には、光ファイバ心線部分）をクランプ保持し、光ファイバ２２先端に口出しした裸光ファイバ２２ｂを第２クランプ部２３２にクランプ保持している。図９、図１１（ａ）に示すように、光ファイバ２２の被覆部２２ａは、ベース側素子２６の蓋側素子２７に対面する合わせ面２６１において、蓋側素子２７１に対面する部分に形成されている位置決め溝２６２に収納され、バネ２４の第１クランプ部２３１のクランプ力によって、ベース側素子２６と蓋側素子２７１との間にしっかりとクランプ保持されており、第１クランプ部２３１が開状態とされない限り、光ファイバ２２は、メカニカルスプライス部２３から容易には引き抜かれないようになっている。
【００２４】
前記位置決め溝２６２は、ベース側素子２６と蓋側素子２７１との間にクランプ保持された光ファイバ２２（具体的には被覆部２２ａ）の位置ズレを防止する機能の他、メカニカルスプライス部２３の第１クランプ部２３１側の端部から素子２６、２７間へ光ファイバ２２（光ファイバ２２において、光コネクタ２１とは逆側の端部）を挿入する作業において、光ファイバ２２先端に露出させておいた裸光ファイバ２２ｂを、素子２５の軸方向中央部（図８（ｂ）左右方向中央部）の調心溝２９に誘導するための誘導溝として機能する。
また、位置決め溝は、ベース側素子２６の内、第３クランプ部２３３を構成する部分にも、第１クランプ部２３１と同様に、ベース側素子２６の蓋側素子２７（蓋側素子２７３）に対面する合わせ面２６１に形成されている（符号２６３の位置決め溝）。光ファイバ１４は、該光ファイバ１４先端に口出しした光ファイバ心線１４Ａ、及び、該光ファイバ心線１４Ａ先端に露出させた裸光ファイバ１４ｂを位置決め溝２６３に挿入して、光ファイバ２２との接続を行う。この位置決め溝２６３は、メカニカルスプライス部２３の第３クランプ部２３３側の端部から素子２６、２７間へ光ファイバ１４を挿入する作業において、光ファイバ１４先端に露出させておいた裸光ファイバ１４ｂを調心溝２９に誘導するための誘導溝としての機能と、第３クランプ部２３３に光ファイバ１４先端に口出ししておいた光ファイバ心線１４Ａをクランプ保持する際に、光ファイバ心線１４Ａの被覆部１４ａ（光ファイバ心線部分）の位置ズレを防止する機能とを果たす。
【００２５】
前記調心溝２９は、ベース側素子２６の長手方向中央部において、蓋側素子２７に対面する合わせ面２６１に、高精度に形成された溝であり、素子２５の対向する両側から挿入された光ファイバ１４、２２先端に口出しされている裸光ファイバ１４ｂ、２２ａを突き合わせ接続可能に精密に位置決め調心するものである。図１２に示すように、この調心溝２９は、ここではＶ溝であるが、これに限定されず、例えば、Ｕ溝、丸溝（断面半円状の溝）等、各種構成が採用可能である。
ベース側素子２６の第１、第３クランプ部２３１、２３３に対応する部分、すなわち、ベース側素子２６の長手方向両側に形成されている位置決め溝２６２、２６３は、前記調心溝２９と連通しており、調心溝２９からベース側素子２６の長手方向に沿って延びて、ベース側素子２６の長手方向の端部に開口している。これら位置決め溝２６２、２６３も、ここではＶ溝であるが、光ファイバ１４を位置決めする位置決め精度は、調心溝２９よりも低いものである。
なお、前記位置決め溝も、調心溝と同様に、Ｖ溝に限定されるものではなく、例えば、Ｕ溝、丸溝（断面半円状の溝）等、各種構成が採用可能である。また、位置決め溝は、ベース側素子２６側ではなく、蓋側素子２７１において、前記ベース側素子２６の合わせ面２６１に対面される合わせ面２３１ａに形成してもよく、ベース側素子２６と蓋側素子２７１の両方に形成しても良い。また、調心溝２９の形成位置も、ベース側素子２６の側に限定されず、蓋側素子２７（具体的には蓋側素子２７２）に形成することも可能である。
【００２６】
第１、２クランプ部２３１、２３２は、楔の圧入によって開状態とすると、素子間への光ファイバ２２の挿脱が可能となる。第２、３クランプ部２３２、２７３は、楔の圧入によって開状態とすると、素子間への光ファイバ１４の挿脱が可能となる。
光ファイバ２２先端へのメカニカルスプライス部２３の組み立ては、例えば、メカニカルスプライス部２３の第１、第２クランプ部２３１、２３２を楔を用いて開状態とし（第３クランプ部２３３も一緒に開状態としても良い）、光ファイバ２２（光ファイバ２２において、光コネクタ２１とは逆側の端部）を、メカニカルスプライス部２３の第１クランプ部２３１側の端部から位置決め溝２６２に挿入して行き、光ファイバ２２先端の裸光ファイバ２２ｂを調心溝２９に挿入せしめ、第１、第２クランプ部２３１、２３２から楔を引き抜いて、第１、第２クランプ部２３１、２３２を閉状態とすることで、光ファイバ２２を第１、第２クランプ部２３１、２３２にクランプ保持する。
【００２７】
次に、余長収納ケース３０について説明する。
図３〜図５に示すように、余長収納ケース３０は、トレー状の収納ケース本体３１と、この収納ケース本体３１の底板３１ａの周囲に立設されている側壁部３１ｂの前記底板３１ａからの突出先端によって囲まれる開口部３１ｃを覆うようにして収納ケース本体３１に装着される蓋３２とを有し、前記光コネクタ付き成端用部品２０を収納する筐体であり、また、前述したように、光コネクタレセプタクル１３に取り付けられているものである。前記光コネクタレセプタクル１３は、具体的には、収納ケース本体３１の側壁部３１ｂに取り付けられている。図３に示した例では、光コネクタレセプタクル１３のハウジング１３ａの両側に突設されている突片１３ｂを収納ケース本体３１の外側から側壁部３１ｂに押し当てた状態で、前記突片１３ｂをネジ３１ｃで側壁部３１ｂに固定して取り付けている。収納ケース本体３１、蓋３２の材質は、例えば、樹脂、金属等を採用できる。樹脂製の場合、成形性の点、内部に収納した光ファイバを接触によって傷めにくい点、低コスト化の点で有利である。
【００２８】
光コネクタ付き成端用部品２０の光ファイバ２２（ピグテール光ファイバ）は、光コネクタ２１が組み込まれた光コネクタレセプタクル１３から、余長収納ケース３０内へ延出され、余長収納ケース３０内にて余長２２ｃが湾曲処理されている。なお、収納ケース本体３１の側壁部３１ｂには、光コネクタレセプタクル１３から余長収納ケース３０内への光ファイバ２２の引き込みを可能にするための切り欠きが形成されている。
光ファイバ２２の余長２２ｃは、余長収納ケース３０の収納ケース本体３１の底板３１ａ上に突設されている円筒状の湾曲維持突起３１ｅへの巻き付けによって、小さいスペースで効率良く湾曲処理することができる。なお、湾曲維持突起としては、余長を巻き付けるための筒状のものに限定されず、例えば、リング状に巻いて纏めた余長２２ｃを嵌め込むことで、外側から余長２２ｃを押さえ込んでリング状を保つようにする構成のもの等も採用可能である。
【００２９】
光ファイバ２２の光コネクタ２１からの延出先端（メカニカルスプライス部２３）は、収納ケース本体３１に設けられているスプライス支持部３３に支持されている。スプライス支持部３３は、収納ケース本体３１の開口部３１ｃ付近にて、収納ケース本体３１の側壁部３１ｂから開口部３１ｃ内側に張り出すように突設されたリブ状の小突片である棚部３１ｄ上に形成されている。前記棚部３１ｄは、底板３１ａとほぼ並行に延在する板状に形成されており、前記スプライス支持部３３は、具体的には、棚部３１ｄ上に突設された一対の突壁３３ａと、前記棚部３１ｄにおいて一対の突壁３３ａの間に位置する部分とによって構成されており、一対の突壁３３ａの間に嵌め込まれるメカニカルスプライス部２３を取り出し可能に保持するようになっている。
メカニカルスプライス部２３の着脱が可能な構成のスプライス支持部３３であれば、例えば、メカニカルスプライス部２３での光ファイバ１４、２２同士の接続作業を失敗したときなどに必要となるメカニカルスプライス部２３の交換を簡単に行えるといった利点もある。
【００３０】
余長収納ケース３０は、前記光コネクタレセプタクル１３が外装ケース１１の前面１１ｃ側となる向きで、外装ケース１１に収納されるようになっており、光コネクタレセプタクル１３は、光コネクタ２１を、該光コネクタ２１に内挿固定されている光ファイバ２２の先端の光軸が外装ケース１１の奥行き方向（前後方向。図２左右方向）に揃う向きで、外装ケース１１に組み込んで構成される。スプライス支持部３３は、メカニカルスプライス部２３を、該メカニカルスプライス部２３において接続する光ファイバ１４、２２の光軸が外装ケース１１の前後方向（奥行き方向）に直交する向き、すなわち、前記光コネクタレセプタクル１３の光コネクタ２１と、外部光ファイバ１５先端の光コネクタ１６との接続の光軸の延長を横切る向きの直線に沿った向きとなるようにして、支持するようになっている。メカニカルスプライス部２３は、該メカニカルスプライス部２３において接続する光ファイバ１４、２２の光軸に沿った方向に細長い形状であるため、上述のように、光ファイバ１４、２２同士の接続光軸が、外装ケース１１の前後方向に対して傾斜した向きで支持される構成であれば、余長収納ケース３０の、外装ケース１１の前後方向における寸法の縮小が可能であり、この余長収納ケース３０を収納する外装ケース１１の前後方向寸法の縮小も実現できる。
【００３１】
なお、スプライス支持部３３が形成されている棚部３１ｄと収納ケース本体３１の底板３１ａとの間に確保される空間は、光ファイバ２２の余長の湾曲処理空間、あるいは、光コネクタレセプタクル１３の余長収納ケース３０内側に突出した部分の収納に利用することができ、この点も、外装ケース１１の前後方向寸法の縮小に寄与する。図３、図５に示した例では、棚部３１ｄは、側壁部３１ｂの内、光コネクタレセプタクル１３の取り付け位置付近から開口部３１ｃ内側に突出されており、光コネクタレセプタクル１３の余長収納ケース３０内側に突出した部分の上に位置するため、外装ケース１１内にて光コネクタレセプタクル１３付近に生じやすいデッドスペースを有効利用することとなり、また、収納ケース本体３１において光ファイバ２２の余長の湾曲処理に使用される領域に殆ど突出しないため、蓋３２を取り外して開口部３１ｃを開放した収納ケース本体３１について光ファイバ２２の収納や、取り出し等の作業を行う際に、作業との干渉を回避できるといった利点がある。
【００３２】
また、前記棚部３１ｄ上には、前記外装ケース１１に引き込まれた光ファイバ１４を引き留める引き留め部３４が設けられている。図３、図５等では、引き留め部３４として、インドアケーブル１４の被覆部をカシメ固定するカシメ金具を例示しているが、引き留め部３４としてはこれに限定されず、例えば、インドアケーブル１４を押し込んで固定する固定溝を有する樹脂製あるいは金属製の鬼目部品なども採用可能である。前記カシメ金具である引き留め部３４は、棚部３１ｄ上に突設されている複数の突壁３３ａ、３３ａ、３４ａの間に嵌め込むようにして固定されているが、例えば、樹脂製の部品の場合は、棚部３１ｄと一体に樹脂成形した構成も可能である。
【００３３】
前記アウトレット１０の組み立て、施工は、まず、外装ケース１１に引き込んだ光ファイバ１４を、光コネクタ付き成端用部品２０のメカニカルスプライス部２３によって光ファイバ２２と接続し、光コネクタ付き成端用部品２０と該光コネクタ付き成端用部品２０に接続された光ファイバ１４先端とを収納した余長収納ケース３０を、外装ケース１１に収納する。外装ケース１１は、前面プレート１１２を取り外して前面側を開放することで、前面側からの前記余長収納ケース３０の収納が可能であることから、外装ケース１１への余長収納ケース３０の組み込みは、壁１２への外装ケース１１の組み込み工事が完了した後でも、簡単に行える利点がある。外装ケース１１に余長収納ケース３０を収納した後、外装ケース本体１１１に前面プレート１１２を取り付けることで、アウトレット１０を組み立てることができる。アウトレットの施工は、壁１２への組み込みを済ませた外装ケース１１に余長収納ケース３０を収納する手順、余長収納ケース３０の収納、ケース本体１１１への前面プレート１１２の取り付けなどの作業によって、アウトレット１０全体を組み立てた後、このアウトレット１０を壁１２等の取付対象物に対して施工する手順の、いずれも採用可能である。
【００３４】
メカニカルスプライス部２３での、光ファイバ１４、２２同士の接続は、図１３に示すように、楔部品２８ａを用いて開状態としておいた第２、第３クランプ部２３２、２３３に対して、メカニカルスプライス部２３の第３クランプ部２３３側の端部から、光ファイバ１４を位置決め溝２６３に挿入する。但し、メカニカルスプライス部２３の第１クランプ部２３１での光ファイバ２２をクランプ保持した状態を維持したままである。ここでは、インドアケーブル１４先端に口出しした単心の光ファイバ心線である光ファイバ１４Ａを素子２５に挿入する。図１１（ｂ）に示すように、光ファイバ１４Ａは、位置決め溝２６３の挿入によって、光ファイバ１４先端に予め露出させておいた裸光ファイバ１４ｂを素子２５の調心溝２９に挿入せしめ、光コネクタ付き成端用部品２０の光ファイバ２２と突き合わせ接続する。そして、光ファイバ１４、２２同士（詳細には裸光ファイバ１４ｂ、２２ｂ同士）の突き合わせ状態を維持したまま、楔部品２８ａの引き抜きによって、第２、第３クランプ部２３２、２３３を閉状態とする。これにより、接続作業が完了する。
【００３５】
なお、引き留め部３４によるインドアケーブル１４の固定は、メカニカルスプライス部２３での光ファイバ１４Ａ、２２同士の接続が完了した後に行うことが好ましい。引き留め部３４によってインドアケーブル１４を固定するまでは、別途、引き留め手段によってインドアケーブル１４を引き留めて、光ファイバ１４Ａ、２２同士の接続作業に、インドアケーブル１４に作用する引っ張り力が影響を与えないようにしておくことは言うまでも無い。引き留め部３４による光ファイバ１４の固定が完了したら、光ファイバ１４は、収納ケース本体３１に引き留められたことになる。
【００３６】
楔部品２８ａを用いて第２、第３クランプ部２３２、２３３を開状態とする作業は、専用の工具を用いて行うことも可能であるが、第２、第３クランプ部２３２、２３３に予め楔部品２８ａを圧入しておいたメカニカルスプライス部２３（楔部品２８ａを素子間に割り込ませておいたことによって第２、第３クランプ部２３２、２３３の開状態が維持されているメカニカルスプライス部２３）を採用し、メカニカルスプライス部２３に光ファイバ１４Ａを挿入した後に、第２、第３クランプ部２３２、２３３から楔部品２８ａを引き抜いて、第２、第３クランプ部２３２、２３３を閉状態とすることで、光ファイバ１４Ａをクランプ保持する構成も採用可能である。
【００３７】
専用の工具を用いる場合は、例えば、外装ケース１１の外にてメカニカルスプライス部２３を工具にセットし、この工具で第２、第３クランプ部２３２、２３３を開閉操作するが、第２、第３クランプ部２３２、２３３に予め楔部品２８ａを圧入しておいたメカニカルスプライス部２３（図１０（ａ）参照）であれば、メカニカルスプライス部２３からの楔部品２８ａの引き抜き作業を行えるだけの作業スペースを確保できれば、光ファイバ１４、２２同士の接続作業が可能であるため、専用の工具を用いる場合に比べて、光ファイバ１４の壁１２からの引き出し長を短くすることができる。また、外装ケース１１内に、メカニカルスプライス部２３からの楔部品２８ａの引き抜き作業を行えるだけの作業スペースを確保できる場合には、外装ケース１１内に余長収納ケース３０の収納ケース本体３１を収納したまま、あるいは、外装ケース１１内にて収納ケース本体３１を若干移動させるだけでも、光ファイバ１４、２２同士の接続作業を行える可能性がある。このため、第２、第３クランプ部２３２、２３３に予め楔部品２８ａを圧入しておいたメカニカルスプライス部２３を用いる場合であれば、壁１２からの光ファイバ１４の引き出し長に限界があったり、壁１２に対するアウトレット１０の取り付け位置付近に充分な作業スペースを確保できない場合などであっても、光ファイバ１４、２２同士の接続作業を容易に行えるといった利点がある。
なお、図１０（ａ）中、符号２８ｂは、引き抜き操作用の取っ手である。
【００３８】
また、専用の工具を用いる場合は、光ファイバ１４、２２同士の接続作業の完了後に、余長収納ケース３０のスプライス支持部３３へのメカニカルスプライス部２３の嵌め込み固定、及び、余長収納ケース３０内への光ファイバ２２の余長の湾曲収納が必須となるが、第２、第３クランプ部２３２、２３３に予め楔部品２８ａを圧入しておいたメカニカルスプライス部２３を用いる構成であれば、光コネクタ付き成端用部品２０の収納を完了した余長収納ケース３０からメカニカルスプライス部２３を取り出すことなく、光ファイバ１４、２２同士の接続作業を行えるので、作業に掛かる手間を大幅に削減できるといった利点がある。
【００３９】
メカニカルスプライス部２３での光ファイバ１４、２２の接続作業を完了すると、裸光ファイバ１４ｂ、２２ｂが突き合わせ状態を保ったまま、メカニカルスプライス部２３の第２クランプ部２３２にクランプ保持されるとともに、光ファイバ１４Ａの被覆部１４ａが、メカニカルスプライス部２３の第３クランプ部２３３にしっかりとクランプ保持されて、メカニカルスプライス部２３からの引き抜きが規制されるようになる結果、光ファイバ１４、２２同士の接続状態が安定に維持される。
なお、光ファイバ１４は、メカニカルスプライス部２３に挿入する部分が、先端に裸光ファイバ１４ｂが露出された光ファイバ心線であれば良く、外装ケース１１内に引き込んだ部分の構成については、特に限定は無い。
【００４０】
メカニカルスプライス部２３での光ファイバ１４、２２の接続作業を完了したら、光コネクタ付き成端用部品２０を収納している収納ケース本体３１上に蓋３２を装着して、余長収納ケース３０を組み立て（光コネクタレセプタクル１３の取り付け等も行っておく）、この余長収納ケース３０を外装ケース１１（具体的にはケース本体１１１）に挿入して収納し、さらに、ケース本体１１１に前面プレート１１２を取り付けてアウトレット１０全体を組み立てる。
【００４１】
外装ケース１１に前面側から押し込まれた余長収納ケース３０は、外装ケース１１内に設けられている位置決め部材（図示略）によって外装ケース１１内にて位置決めされる。そして、ケース本体１１１に前面プレート１１２を取り付けると、前面プレート１１２のコネクタ穴１１２ａが、余長収納ケース３０の光コネクタレセプタクル１３を外装ケース１１前面側に露出させ、かつ、外装ケース１１前面側からの光ファイバ１５先端の光コネクタ１６の接続が可能な位置に位置決めされる。
また、このアウトレット１０では、外装ケース１１に余長収納ケース３０を収納すると、この余長収納ケース３０に取り付けられている光コネクタ１３は、前面プレート１１２から突出せず、光コネクタ１３全体が、外装ケース１１内に収納されるようになっているため、特に前面１１ｃ側に優れた美観が得られるといった利点もある。このように、光コネクタ１３が前面プレート１１２から突出しないか、あるいは、前面プレート１１２によって形成される前面１１ｃと面一、あるいは、前面１１ｃから僅かに突出する構成であれば、前面１１ｃから大きく突出している場合に比べて、衝突物などによる損傷等の不都合の防止に有利であるといった利点もある。
【００４２】
光ファイバ２２の余長２２ｃを余長収納ケース３０に収納した状態で、外装ケース１１内に押し込み収納できる構成であれば、例えば、光ファイバ２２に補強チューブを被せるといった手間の掛かる保護を行わなくても、押し込み作業によって光ファイバ２２を傷めるといった心配が無く、また、長期にわたって、光ファイバ２２を保護できるといった利点もある。然るに、光ファイバ２２の保護を、非常に簡単に行うことができ、アウトレット１０の組み立て、施工の作業効率の向上にも有利である。
【００４３】
光ファイバ１４の余長は、余長収納ケース３０を外装ケース１１に挿入する作業において湾曲処理して、外装ケース１１内に確保した余長収納部（図示略）に収納する。ここで、前記余長収納部は、光ファイバ支持部材（図示略）によって、光ファイバ１４の余長を巻いた状態に保持して収納する構成になっている。
なお、余長収納ケース３０は全体として外観偏平の板状に形成されており、ここでは、図１、図２に示した例では、余長収納ケース３０は横置き状態、すなわち、収納ケース本体３１の底板３１ａが、上下方向（図１、図２において上下）の中心軸線を横切るようになる向きで収納されるが、光ファイバ１４は、余長収納ケース３０の左右いずれかの側壁部、具体的には、外装ケース１１内の余長収納ケース３０を外装ケース１１前面側から見て、左右いずれかに位置する側部においてトレー状の蓋３２の側壁部（周壁部３２ａ）に開口されている光ファイバ挿通孔３０ａに通して、余長収納ケース３０の内外に連通されている。仮に、光ファイバ挿通孔３０ａが、余長収納ケース３０の裏面側（外装ケース１１の裏面壁１１ｄに臨む側。光コネクタレセプタクル１３とは逆の側）に開口されている場合は、余長収納ケース３０の外側にて光ファイバ挿通孔３０ａ付近に配線される光ファイバ１４の配線スペースを確保する必要性から、外装ケース１１の前後方向寸法の大型化を招く可能性があるが、前述したように、光ファイバ挿通孔３０ａの形成位置が余長収納ケース３０の左右いずれかの側壁部である構成であれば、外装ケース１１の前後方向寸法の大型化を招くおそれが無く、前後方向寸法の縮小が容易になる。
【００４４】
このアウトレット１０では、余長収納ケース３０を外装ケース１１から取り出したり交換することで、余長収納ケース３０内に収納されている光コネクタ付き成端用部品２０や、余長収納ケース３０に取り付けられている光コネクタレセプタクル１３をも、余長収納ケース３０と一緒に一括して、取り出しや交換を行える。このため、例えば、光ファイバ１５や、光ファイバ１５先端の光コネクタ１６の種類等に対応して、光コネクタ１３を適合するものに変更する作業などを効率良く、迅速に行えるといった利点もある。
また、前記アウトレット１０では、前面プレート１１２の上下複数箇所にコネクタ穴１１１２ａが形成されており、外装ケース１１には、余長収納ケース３０（余長収納ケース３０と光コネクタ１３との組）を上下複数段に収納することができるが、例えば、光ファイバ１４、２２同士の接続状態を維持したまま、余長収納ケース３０を交換することも可能であり、光ファイバ１４の光線路に対応する光コネクタ１３の位置の変更等を、非常に簡単に行える。
また、図中、符号３５はシャッターであり、光コネクタ１３が配置されていない空きのコネクタ穴１１２ａの防塵性（外装ケース１１内への塵等の侵入防止）を確保するものである。
【００４５】
なお、本発明は、前記実施の形態に限定されず、例えば、外装ケースの具体的形状等は、各種変更が可能であることは言うまでも無い。
外装ケースに設ける光コネクタ（コネクタハウジング）としては、光コネクタレセプタクルに限定されず、光コネクタアダプタ等であっても良い。
アウトレットを取り付ける取付対象物としては、建物の壁に限定されず、例えば、建物の柱、光配線盤をはじめとする各種架体等、各種構成の採用が可能である。
前述した実施の形態では、光コネクタ付き成端用部品として、単心用のものを例示したが、本発明はこれに限定されず、多心用に構成することも可能である。この場合、光コネクタ２１としては、多心用の光コネクタ、例えば、ＭＴ形光コネクタ（ＪＩＳ  Ｃ  ５９８１に制定されるＦ１２形光コネクタ等）等を採用する。光ファイバ２２としては、例えば多心光ファイバテープ心線等を採用できるが、単心光ファイバを複数本用いた構成とすることも可能である。メカニカルスプライス部２３としては、例えば、素子（ベース側素子及び／又は蓋側素子）に並列に形成した複数本の調心溝によって、複数対の光ファイバの接続に対応できるものを採用する。
【図面の簡単な説明】
【００４６】
【図１】本発明の光コネクタ用アウトレットの実施形態を示す斜視図である。
【図２】図１の光コネクタ用アウトレットの取付対象物（壁）に対する施工状態を示す側断面図である。
【図３】図１の光コネクタ用アウトレットに適用される余長収納ケースを光コネクタレセプタクル側から見た分解斜視図である。
【図４】図３の余長収納ケースの外観を示す図であって、（ａ）は平面図、（ｂ）は光コネクタレセプタクル側から見た正面図、（ｃ）は光ファイバ挿通孔側から見た側面図である。
【図５】図３の余長収納ケースを、図３とは別の方向から見た分解斜視図である。
【図６】図３の余長収納ケースに収納される光コネクタ付き成端用部品の全体構造を示す図である。
【図７】図６の光コネクタ付き成端用部品に適用されるメカニカルスプライス部の一例を示す斜視図である。
【図８】図７のメカニカルスプライス部の構成の概略を示す図であって、（ａ）は軸線方向一方の端面の側から見た側面図、（ｂ）は正面図である。
【図９】図７のメカニカルスプライス部の素子構造の一例を示す図であって、素子を構成するベース側素子及び蓋側素子について、合わせ面の側から見た状態を示す図である。
【図１０】図７のメカニカルスプライス部の素子の開閉を示す図であって、（ａ）は第３クランプ部を楔で開状態とした図、（ｂ）は第３クランプ部の閉状態を示す図である。
【図１１】図７のメカニカルスプライス部を示す縦断面図であって、（ａ）は壁から引き出した光ファイバの接続前、（ｂ）は接続後を示す。
【図１２】図７のメカニカルスプライス部の第２クランプ部を示す断面図である。
【図１３】図７のメカニカルスプライス部と、第２、第３クランプ部の開閉用の楔とを示す平面図である。
【図１４】従来例のアウトレットを示す断面図である。
【符号の説明】
【００４７】
１０…光コネクタ用アウトレット、１１…外装ケース、１１ｃ…前面、１２…壁、１３…光コネクタ（光コネクタレセプタクル）、１４…光ファイバ（インドアケーブル）、１５…光ファイバ（外部光ファイバ）、２２…ピグテール光ファイバ、２２ｃ…余長、２３…メカニカルスプライス部、２４…バネ、２５，２６，２７…素子、２８ａ…楔部品、３０…余長収納ケース、３３…スプライス支持部、３４…引き留め部、１１１…ケース本体、１１２…前面プレート、１１２ａ…コネクタ穴。
【図１】
2005195654.tif 000003
【図２】
2005195654.tif 000004
【図３】
2005195654.tif 000005
【図４】
2005195654.tif 000006
【図５】
2005195654.tif 000007
【図６】
2005195654.tif 000008
【図７】
2005195654.tif 000009
【図８】
2005195654.tif 000010
【図９】
2005195654.tif 000011
【図１０】
2005195654.tif 000012
【図１１】
2005195654.tif 000013
【図１２】
2005195654.tif 000014
【図１３】
2005195654.tif 000015
【図１４】
2005195654.tif 000016